(57)【要約】【課題】パチンコ遊技場のパチンコ玉循環システムにおいて、極微量の潤滑剤をパチンコ玉へむらなく塗布する装置およびそれを用いた塗布方法を提供する。【解決手段】本発明のパチンコ玉潤滑剤塗布装置１は、パチンコ玉を搬送する無端搬送ベルト１０に潤滑剤塗布手段２０を設置してなる。この潤滑剤塗布手段２０は、ローラ外周面が無端搬送ベルト１０に当接する潤滑剤塗布ローラ２１と該ローラへの潤滑剤供給手段２２とを具備する。潤滑剤は、潤滑剤塗布ローラ２１に供給され、さらに無端搬送ベルト１０へ転写され、そして搬送途中のパチンコ玉へ再転写される。【選択図】  図１
2006296813.tif 000002
【特許請求の範囲】
【請求項１】
パチンコ玉を搬送する無端搬送ベルトに潤滑剤塗布手段を設置してなるパチンコ玉潤滑剤塗布装置。
【請求項２】
前記潤滑剤塗布手段は、ローラ外周面が無端搬送ベルトに当接する潤滑剤塗布ローラと該ローラへの潤滑剤供給手段とを具備したことを特徴とする、請求項１に記載のパチンコ玉への潤滑剤塗布装置。
【請求項３】
前記無端搬送ベルトは、パチンコ玉揚送装置内に縦置されて、固定ガイドとの間にパチンコ玉を挟持しながら揚送する、請求項１または２に記載のパチンコ玉への潤滑剤塗布装置。
【請求項４】
潤滑剤塗布手段から無端搬送ベルトへ潤滑剤を供給すると共に、該無端搬送ベルトは供給された潤滑剤をベルト上のパチンコ玉へ転写することからなる、パチンコ玉への潤滑剤の塗布方法。
【請求項５】
前記潤滑剤塗布手段は、ローラ外周面が無端搬送ベルトに当接する潤滑剤塗布ローラと該ローラへの潤滑剤供給手段とを具備し、該潤滑剤塗布ローラが潤滑剤の供給を受け、それを無端搬送ベルトへ転写することを含む、請求項４に記載のパチンコ玉への潤滑剤の塗布方法。
【発明の詳細な説明】
【技術分野】
【０００１】
本発明は、パチンコ玉への潤滑剤塗布装置およびそれを用いた塗布方法に関し、より詳細にはパチンコ遊技場内を循環するパチンコ玉に対する潤滑剤塗布装置およびそれを用いた塗布方法に関する。
【背景技術】
【０００２】
パチンコ遊技場で使用されるパチンコ玉は、図２に示すパチンコ玉循環システムを使って、遊技場内の玉送路や揚送装置を通って何度も循環使用される。パチンコ玉は、循環を繰り返すうちに、さまざまな汚れを吸着する。パチンコ玉の汚れは、遊技台等の盤面を汚す、盤面における玉の流れを円滑でなくする、玉送路内での玉の流れを滞らせる、パチンコ玉に触る遊技者の手を汚す等の問題を誘発する。
【０００３】
上記のようなパチンコ玉の汚れに起因した問題を解決するために、図２のパチンコ玉循環システムには、通常、研磨シートや研磨布にパチンコ玉を摺動させて汚れを取り除き、あるいは洗浄用ペレットで研磨するような洗浄装置が組み込まれている。特に、洗浄機構を揚送装置の内部に組み込んだ揚送洗浄装置が普及している。
【０００４】
上記の洗浄装置の導入によって、パチンコ玉の清浄度を上げ過ぎるとパチンコ玉の金属表面の摩擦抵抗が大きくなり、かえって弊害が生じる。例えば、循環経路や揚送路内でパチンコ玉が噛み込んだり詰まったりする、パチンコ台打球部での打球間隔が微妙に乱れる、パチンコ台盤面の玉の落下速度が一定でなくなる。
【０００５】
そこで、一部のパチンコ遊技場では、パチンコ玉表面に潤滑剤を塗布する潤滑剤塗布装置を例えば揚送装置上部に設けて、パチンコ玉の流動性を確保することが行われている。
【発明の開示】
【発明が解決しようとする課題】
【０００６】
潤滑剤塗布装置を導入する場合、潤滑剤の塗布量を適正に管理することが重要である。塗布量が少ないと効果が得られないし、逆に多過ぎると、塗布した潤滑剤が汚れの原因となるからである。また、パチンコ玉流量を一定に制御するために、潤滑剤塗布量を精密に管理することも重要である。そのために、特開２００１−７０６０３、特開２０００−２０２１４２、特開２００１−９６０５３などが、パチンコ玉への潤滑剤供給装置の改良を提案している。
【特許文献１】特開２００１−７０６０３
【特許文献２】特開２０００−２０２１４２
【特許文献３】特開２００１−９６０５３
【０００７】
本発明は、パチンコ遊技場のパチンコ玉循環システムにおいて、極微量の潤滑剤をパチンコ玉へ薄く塗布することの可能な装置およびそれを用いた塗布方法を提供することにある。
【課題を解決するための手段】
【０００８】
上記課題を解決するために、本発明は、パチンコ玉を搬送する無端搬送ベルトに潤滑剤塗布手段を設置してなるパチンコ玉潤滑剤塗布装置を提供する。この装置によれば、潤滑剤は、一旦、無端搬送ベルトへ付着してから、搬送途中のパチンコ玉へ転写される。
【０００９】
前記潤滑剤塗布手段は、ローラ外周面が無端搬送ベルトに当接する潤滑剤塗布ローラと該ローラへの潤滑剤供給手段とを具備することが好ましい。この装置によれば、潤滑剤は、まず、塗布ローラに付着し、さらに該ローラから無端搬送ベルトに転写され、そして搬送中のパチンコ玉へ再転写される。
【００１０】
上記パチンコ玉潤滑剤塗布装置は、パチンコ遊技場の例えばパチンコ玉揚送装置内に縦置される。この態様では、前記無端搬送ベルトが、固定ガイドとの間にパチンコ玉を挟持しながら揚送しつつ、潤滑剤をパチンコ玉へ塗布する。
【００１１】
本発明のパチンコ玉潤滑剤塗布装置は、パチンコ玉循環装置内に横置してもよい。この態様では、前記無端搬送ベルトが、パチンコ玉を載置して搬送する際に、潤滑剤をパチンコ玉へ塗布する。
【００１２】
本発明はまた、本発明の潤滑剤塗布装置を使用した潤滑剤塗布方法を提供する。該方法は、潤滑剤塗布手段から無端搬送ベルトへ潤滑剤を供給すると共に、該無端搬送ベルトは供給された潤滑剤をベルト上のパチンコ玉へ転写することからなる。
【００１３】
前記潤滑剤塗布手段は、前記無端搬送ベルトに外周面が当接する潤滑剤塗布ローラおよび該ローラへの潤滑剤供給手段を具備することが好ましい。この構成によれば、該潤滑剤塗布ローラが潤滑剤の供給を受け、それを無端搬送ベルトへ転写することになる。
【発明の効果】
【００１４】
請求項１のパチンコ玉潤滑剤塗布装置は、潤滑剤をパチンコ玉へ直接塗布するのではなく、潤滑剤を、一旦、無端搬送ベルトへ供給し、それをさらに搬送途中のパチンコ玉へ転写するようにしたので、極微量の潤滑剤の塗布が可能になる。
【００１５】
請求項２のパチンコ玉潤滑剤塗布装置は、潤滑剤塗布手段を無端搬送ベルト近傍へ設置し、該潤滑剤塗布手段をその外周面が当接する潤滑剤塗布ローラおよび該ローラへの潤滑剤供給手段により構成したので、潤滑剤が塗布ローラおよび無端搬送ベルトの二段階の転写を経て、搬送途中のパチンコ玉へ塗布される。この発明では、より一層精細な潤滑剤の塗布、およびパチンコ玉の清浄度に応じた潤滑剤塗布量の調節が可能となる。
【００１６】
請求項３のパチンコ玉潤滑剤塗布装置は、無端搬送ベルトをパチンコ玉揚送装置内に収容するよう構成したので、ベルト式揚送装置を採用するパチンコ玉循環システムにおいて、パチンコ玉に潤滑剤を効率的に塗布することができる。既設の洗浄装置と干渉せずに済むので、遊技場施設の限られた空間を有効利用するのに寄与する。
【００１７】
請求項４のパチンコ玉への潤滑剤の塗布方法は、潤滑剤をパチンコ玉へ直接塗布するのではなく、潤滑剤を、一旦、無端搬送ベルトへ供給し、それをさらに搬送途中のパチンコ玉へ転写するようにしたので、極微量の潤滑剤の塗布が可能になる。請求項５のパチンコ玉への潤滑剤の塗布方法は、潤滑剤塗布手段を無端搬送ベルト近傍へ設置し、該潤滑剤塗布手段をその外周面が当接する潤滑剤塗布ローラおよび該ローラへの潤滑剤供給手段により構成したので、潤滑剤が塗布ローラおよび無端搬送ベルトの二段階の転写を経て、搬送途中のパチンコ玉へ塗布される。この発明では、より一層精細な潤滑剤の塗布、およびパチンコ玉への清浄度に応じた潤滑剤塗布量の調節が可能になる。
【発明を実施するための最良の形態】
【００１８】
以下、本発明の潤滑剤塗布装置の一実施態様を、添付の図面を用いて詳しく説明する。まず、図２は、本発明の潤滑剤塗布装置を組み込もうとする汎用のパチンコ玉循環供給システム３０の概略斜視図である。
【００１９】
図２において、パチンコ遊技場のパチンコ玉循環供給システム３０は、複数の遊技台３１が並置されて一つの島３２を形成する。島３２の各遊技台で使用されたパチンコ玉２は、遊技台下部のドブ３３に集められ、ドブ出口に連通した揚送装置入口３４に送られ、次いで揚送装置３５を通って揚送装置出口３６から補給タンク３７に送られ、補給タンク３７から自然傾斜を持たせたトヨ３８に流下し、再び各遊技台の貯留タンク（図示せず）に供給されるようになっている。
【００２０】
図１は、図２の循環システム３０の揚送装置３５内に本発明の潤滑剤塗布装置１を組み込む、すなわち、パチンコ玉を揚送する揚送装置内部に塗布装置を設けて、パチンコ玉に潤滑剤を塗布するときのA矢視断面図を示している。図１において、本発明のパチンコ玉潤滑剤塗布装置１は、主として無端搬送ベルト１０と潤滑剤塗布手段２０とから構成される。以下、各構成部材を説明する。
【００２１】
揚送装置３５のケーシング１１の上下端に一対の回転ローラ１２が軸承され、上下の回転ローラ間に無端搬送ベルト１０が張架されている。下部の回転ローラ１２には、駆動用モータ１３が連結されている。
【００２２】
無端搬送ベルト１０の材質および構造は、後述する固定ガイド１４との間にパチンコ玉を挟持可能な程度の摩擦抵抗を有するものであれば、特に制限がない。好ましい材質は、潤滑剤の浸透し難いものである。
【００２３】
固定ガイド１４は、無端搬送ベルト１０の上昇側ベルトと等距離を置いて対面するよう構成される部材である。固定ガイド１４は、無端搬送ベルトの摩擦力によってベルトに同伴されるパチンコ玉２が落下しないように、片側からパチンコ玉２を支持する。
【００２４】
固定ガイド１４の構造は、例えば縦方向に長尺の格子を複数本、等間隔に列設したものである。格子構造を採用すると、格子の隙間がパチンコ玉２を案内する通路となる。
【００２５】
潤滑剤塗布装置１では、上記の無端搬送ベルト１０と固定ガイド１４との組み合わせによって、揚送装置入口３４から送られてきたパチンコ玉２は、無端搬送ベルト１０と固定ガイド１４との間に挟持されながら、揚送装置出口（図２の３６）へ向かって揚送される。
【００２６】
前記潤滑剤塗布手段２０は、無端搬送べルト１０の下降側前面（固定ガイド１４とは反対側）に設置される。図１では、潤滑剤塗布手段２０は、潤滑剤塗布ローラ２１と該ローラへの潤滑剤供給手段２２とから構成される。
【００２７】
潤滑剤塗布ローラ２１は、無端搬送ベルト１０の幅とほぼ同じ長さを有し、無端搬送ベルト１０の下降側に平行に軸支されている。該ローラ２１の外周面は、無端搬送ベルトの下降面へ、無端搬送ベルト１０の付勢力によって塗布ローラが回転でき、かつ塗布ローラ２１が無端搬送ベルト１０に余計な張力を付与しない程度に当接している。したがって、無端搬送ベルトの走行に伴って、塗布ローラも同じ方向へ回転する。塗布ローラ２１は、無端搬送ベルト１０に線接触するので、塗布ローラ２１に供給される潤滑剤は、ローラの回転と共に無端搬送ベルト１０へ転写されて均一に広がる。
【００２８】
この時、塗布ローラ２１は、無端搬送ベルト１０に平行に当接させるように軸支されているので、塗布ローラ２１と無端搬送ベルト１０は、互いの接触部のどの位置でも均等の圧力で接触している。そのため、塗布ローラ２１に供給された潤滑剤は、塗布ローラ２１と無端搬送ベルト１０との接触部において、無端搬送ベルト１０の表面に均一に塗り延ばされる。
【００２９】
また、塗布ローラ２１は、無端搬送ベルト１０の下降側に設置されているので、塗布ローラ２１に供給された潤滑剤は、図１において塗布ローラ２１の上側を伝って無端搬送ベルト１０に転写される。そのため、塗布ローラ２１に供給された潤滑剤は、塗布ローラ２１から飛び散って周囲を汚すこともなく、効率的に無端搬送ベルト１０に転写できる。
【００３０】
潤滑剤塗布ローラ２１は、無端搬送ベルト１０の幅方向に対して、角度調整ができるように構成されている。５〜１０°の角度をつけることで、塗布ローラに供給される潤滑剤が無端搬送ベルト上へ一層展延し易くなる。
【００３１】
塗布ローラ２１の外周面の材質は、潤滑剤供給手段２２から供給される潤滑剤を一旦保持する潤滑剤保持層を形成するように、フェルト、繊維、不織布、ウレタン、エンボス加工したゴムなどでできたシートであることが好ましい。該シートは、ローラ21に更新可能に装着される。
【００３２】
潤滑剤供給手段２２は、通常、図１のように、塗布ローラ２１の上方に少しの間隔をあけて位置し、図示しない定量ポンプ（例えばディスクタイプのもの）に直結されたノズル機構２３を有する。定量ポンプは、潤滑剤を間歇的または定常的にノズルへ送り出し、ノズル２３は滴下、流下、噴射などの適宜の態様で潤滑剤を払い出す。
【００３３】
循環路内のパチンコ玉流量、パチンコ玉の流れの抵抗、パチンコ玉の噛み込みの有無などを電気的に検知するセンサによって、潤滑剤供給手段２２が潤滑剤供給量を制御するようにしてもよい。潤滑剤供給手段は、また、潤滑剤の粘度を一定に保つために、温度調整機能を備えてもよい。
【００３４】
潤滑剤の例は、メチルハイドロジェンポリシロキサン、環状ジメチルポリシロキサン、ジメチルシリコーンオイル、メチルフェニルシリコーンオイル、メチルハイドロジェンシリコーンオイルなどのシリコーンオイル；アミノ変性シリコーンオイル、エポキシ変性シリコーンオイル、アルキル変性シリコーンオイル、ポリエーテル変性シリコーンオイル、フッ素変性シリコーンオイルなどの変性シリコーンオイル；ならびにフッ素系潤滑剤が好ましい。潤滑剤は、オイル型またはエマルジョン型である。
【００３５】
上記潤滑剤塗布装置１を用いた塗布方法を、図１を用いて説明する。潤滑剤塗布手段２０は、ローラ外周面が無端搬送ベルト１０に当接する潤滑剤塗布ローラ２１と該ローラへの潤滑剤供給手段２２とを具備し、該ローラ２１が潤滑剤の供給を受け、それを無端搬送ベルト１０へ転写する。無端搬送ベルト１０はそれをさらに搬送途中のパチンコ玉２へ再転写する。潤滑剤塗布手段２０、特に塗布ローラ２１と無端搬送ベルト１０を介した本発明の潤滑剤塗布方法によれば、多量の潤滑剤がパチンコ玉２へ直接付着することがなくなり、さらに潤滑剤をパチンコ玉へ薄く塗布することが可能になる。
【００３６】
次に、図３を用いて、本発明の別の実施態様の潤滑剤塗布装置を示す。この実施態様は、無端搬送ベルト１０をパチンコ玉循環システム３０内に横置する構成である。本潤滑剤塗布装置１では、ケーシング１１の左右端に一対の回転ローラ１２が軸承され、左右の回転ローラ間に無端搬送ベルト１０が張架される構造をとる。下流側の回転ローラ１２には、図示しない駆動用モータが連結されている。
【００３７】
潤滑剤塗布手段２０は、無端搬送ベルト１０の上流側の回転ローラ１２近傍に設置されている。潤滑剤塗布手段２０は、潤滑剤塗布ローラ２１と該ローラへの潤滑剤供給手段２２とから構成される。潤滑剤塗布ローラ２１は、無端搬送ベルト１０の幅とほぼ同じ長さを有し、無端搬送ベルト１０に平行に当接するように軸支される。無端搬送ベルト１０の走行に伴って、塗布ローラ２１は回転する（図３では反時計回り）。塗布ローラ２１は、無端搬送ベルト１０に線接触するので、塗布ローラ２１に供給される潤滑剤は、ローラの回転と共に無端搬送ベルト１０へ転写される。
【００３８】
塗布ローラ２１は、無端搬送ベルト１０の幅方向に対して、角度調整ができるように構成されている。５〜１０°の角度をつけることで、塗布ローラ２１に供給される潤滑剤が無端搬送ベルト１０へ一層展延し易くなる。
【００３９】
潤滑剤供給手段２２は、塗布ローラ２１の上方に位置し、図示しない潤滑剤タンクおよび定量ポンプに連結されたノズル機構２３を有する。ノズル機構２３から潤滑剤がローラ２１上に滴下等される。
【００４０】
この実施態様の潤滑剤塗布装置１は、図４のように遊技島３２の上部に配置してもよく、また、図５のように遊技島３２の下部に配置してもよい。
【図面の簡単な説明】
【００４１】
【図１】本発明の潤滑剤塗布装置を揚送部に配置した場合の揚送部下方の断面図である。
【図２】本発明の塗布装置を設置するパチンコ玉循環供給システムの概略斜視図である。
【図３】本発明の別の実施態様に従う潤滑剤塗布装置の概略断面図である。
【図４】図３の装置をパチンコ玉循環システムの上部に収容する態様の概略斜視図である。
【図５】図３の装置をパチンコ玉循環システムの下部に収容する態様の概略斜視図である。
【符号の説明】
【００４２】
１：潤滑剤塗布装置
２：パチンコ玉
１０：無端搬送ベルト
１１：ケーシング
１２：回転ローラ
１３：駆動用モータ
１４：固定ガイド
２０：潤滑剤塗布手段
２１：潤滑剤塗布ローラ
２２：潤滑剤供給手段
２３：ノズル機構
３０：パチンコ玉循環システム
３１：遊技台
３２：島
３３：ドブ
３４：揚送装置入り口
３５：揚送装置
３６：揚送装置出口
３７：補給タンク
３８：トヨ
【図１】
2006296813.tif 000003
【図２】
2006296813.tif 000004
【図３】
2006296813.tif 000005
【図４】
2006296813.tif 000006
【図５】
2006296813.tif 000007